(57)【要約】【課題】ＧＰＯＮのＧＥＭモードのＯＡＭフレーム構造を定義してＧＥＭモードにおいてもＯＡＭを実現することのできるギガビット受動型光加入者ネットワークにおけるＧＥＭ ＯＡＭフレーム伝送方法を提供することにある。【解決手段】ギガビット受動型光加入者ネットワークのＧＥＭモードにおいて、ＯＬＴからＯＮＵ／ＯＮＴにＯＡＭ情報を伝送するための方法として、ＧＥＭ ＯＡＭフレームがＯＡＭ情報を含むことを表示するＯＡＭ表示情報を含むＧＥＭヘッダフィールド５０１及びＯＡＭ情報を含むＧＥＭペイロードフィールドを有するＧＥＭ ＯＡＭフレームを構成する段階と、ＯＮＵ／ＯＮＴがＯＡＭ情報による動作を遂行することを可能にするために前記構成されたＧＥＭ ＯＡＭフレームを伝送する段階と、を含む方法とする。【選択図】    図５
2004336773.tif 000002
【特許請求の範囲】
【請求項１】
ギガビット受動型光加入者ネットワークのＧＥＭモードで、ＯＬＴからＯＮＵ／ＯＮＴにＯＡＭ情報を伝送するための方法において、
ＧＥＭ ＯＡＭフレームが前記ＯＡＭ情報を含むことを表示するＯＡＭ表示情報を含むＧＥＭヘッダフィールド及び前記ＯＡＭ情報を含むＧＥＭペイロードフィールドを有するＧＥＭ ＯＡＭフレームを構成する段階と、
前記ＯＮＵ／ＯＮＴが前記ＯＡＭ情報による動作を遂行することを可能にするために前記構成されたＧＥＭ ＯＡＭフレームを伝送する段階と、を含むＧＥＭ ＯＡＭフレーム伝送によることを特徴とする方法。
【請求項２】
ＧＥＭヘッダフィールドは、ＧＥＭフレームのトラヒックマルチプレキシングを提供するためにトラヒックを区分するためのポート識別子フィールドを含み、該ポート識別子フィールドが、ＧＥＭ ＯＡＭフレームがＯＡＭ情報を含むことを表示するＯＡＭ表示情報を貯蔵する所定のビットを含む請求項１に記載の方法。
【請求項３】
ＧＥＭヘッダフィールドは、ＧＥＭフレームのトラヒックマルチプレキシングを提供するためにトラヒックを区分するためのポート識別子フィールドを含み、該ポート識別子フィールドによって指示されるポート値は、特定のＯＮＵ／ＯＮＴの目的地を知らせ、ＯＡＭ情報を含むフレームであることを表示する請求項１に記載の方法。
【請求項４】
ＧＥＭヘッダフィールドは、当該フレームがＯＡＭ情報を含むことを表示するＯＡＭ表示情報をもつＯＡＭフレームフィールドをさらに含む請求項１に記載の方法。
【請求項５】
ＧＥＭヘッダフィールドは、該ＧＥＭヘッダフィールド内に保留されたフィールドを、当該フレームがＯＡＭ情報を含むことを表示するＯＡＭ表示情報をもつフィールドとして使用するようにしてある請求項１に記載の方法。
【請求項６】
ＧＥＭペイロードフィールドは、ＯＡＭ情報のタイプを表示するＯＡＭタイプフィールド、該ＯＡＭタイプによる機能を表示する機能タイプフィールド及び該機能タイプによる具体的な動作を表示するＯＡＭ機能特定フィールドを含む請求項１〜請求項５のいずれか１項に記載の方法。
【請求項７】
ギガビット受動型光加入者ネットワークのＧＥＭモードで、ＯＬＴからＯＮＵ／ＯＮＴにＯＡＭ情報を伝送するための方法において、
ＧＥＭヘッダフィールドと、ＧＥＭ ＯＡＭフレームが前記ＯＡＭ情報を含むことを表示するＯＡＭ表示情報及び前記ＯＡＭ情報を含むＧＥＭペイロードフィールドとを有するＧＥＭ ＯＡＭフレームを構成する段階と、
前記ＯＮＵ／ＯＮＴが前記ＯＡＭ情報による動作を遂行することを可能にするために前記構成されたＧＥＭ ＯＡＭフレームを伝送する段階と、を含むＧＥＭ ＯＡＭフレーム伝送によることを特徴とする方法。
【請求項８】
ギガビット受動型光加入者ネットワークのＧＥＭモードで、ＯＮＵ／ＯＮＴからＯＬＴにＯＡＭ情報を伝送するための方法において、
ＧＥＭ ＯＡＭフレームが前記ＯＡＭ情報を含むことを表示するＯＡＭ表示情報を含むＧＥＭヘッダフィールド及び前記ＯＡＭ情報を含むＧＥＭペイロードフィールドを有するＧＥＭ ＯＡＭフレームを構成する段階と、
前記ＯＬＴが前記ＯＡＭ情報による動作を遂行することを可能にするために前記構成されたＧＥＭ ＯＡＭフレームを伝送する段階と、を含むＧＥＭ ＯＡＭフレーム伝送によることを特徴とする方法。
【請求項９】
ギガビット受動型光加入者ネットワークのＧＥＭモードで、ＯＮＵ／ＯＮＴからＯＬＴにＯＡＭ情報を伝送するための方法において、
ＧＥＭヘッダフィールドと、ＧＥＭ ＯＡＭフレームが前記ＯＡＭ情報を含むことを表示するＯＡＭ表示情報及び前記ＯＡＭ情報を含むＧＥＭペイロードフィールドとを有するＧＥＭ ＯＡＭフレームを構成する段階と、
前記ＯＬＴが前記ＯＡＭ情報による動作を遂行することを可能にするために前記構成されたＧＥＭ ＯＡＭフレームを伝送する段階と、を含むＧＥＭ ＯＡＭフレーム伝送によることを特徴とする方法。
【発明の詳細な説明】
【技術分野】
【０００１】
本発明は、ギガビット受動型光加入者ネットワーク（Gigabit-capable Passive Optical Network: 以下、ＧＰＯＮと称する）に関する。
【背景技術】
【０００２】
電話局からビル及び家庭までの加入者ネットワークの構成のために、最近は、多様なネットワーク構造及び多様な改善方式が提示されている。例えば、ｘＤＳＬ（x-Digital Subscriber Line）、ＨＦＣ（Hybrid Fiber Coax）、ＦＴＴＢ（Fiber To The Building）、ＦＴＴＣ（Fiber To The Curb）、ＦＴＴＨ（Fiber To The Home）などがある。これらのうち、ＦＴＴｘ（x=B,C,H）は、能動型光加入者ネットワーク（Active Optical Network: 以下、ＡＯＮと称する）構成によって実現された能動型ＦＴＴｘと受動型光加入者ネットワーク（ＰＯＮ）構成によって実現された受動型ＦＴＴｘに区分される。
【０００３】
この時、受動型ＦＴＴｘの実現に関連したＰＯＮは、受動素子による点対多点（point-to-multipoint）のトポロジー（topology）を有するネットワーク構成によって、将来経済性のある光加入者ネットワーク実現方式として提示されている。つまり、ＰＯＮにおいて、１つの終端装置（Optical Line Termination: 以下、ＯＬＴと称する）が複数の光加入者ネットワーク装置（Optical Network Unit: 以下、ＯＮＵと称する）に１×Ｎの受動型光分配器（Optical Distribution Network: 以下、ＯＤＮと称する）を使用して連結されることによって、ツリー構造の分散トポロジーを形成する。
【０００４】
このＰＯＮの形態としては、非同期転送モード−受動型光加入者ネットワーク（Asynchronous Transfer Mode Passive Optical Network: 以下、ＡＴＭ-ＰＯＮと称する）が最初に開発されて標準化された。この標準化の内容は、ＩＴＵ−Ｔ（International Telecommunication Union - Telecommunication section）において文書化されたＩＴＵ−Ｔ Ｇ．９８２、ＩＴＵ−Ｔ Ｇ．９８３．１、ＩＴＵ−Ｔ Ｇ．９８３．３に記述されている。さらに、現在ＩＴＵ−ＴによってＧＰＯＮの標準化が進行中である。
【０００５】
図１は、通常のＰＯＮの構成図である。通常のＰＯＮは、１つのＯＬＴ及び複数のＯＮＵを含む。図１において、１つのＯＬＴ１０が３つのＯＮＵ１２ａ，１２ｂ，１２ｃにＯＤＮ１６によって接続された例を示す。
【０００６】
図１を参照すると、ＯＬＴ１０は、ツリー構造のルート（root）に位置し、アクセスネットワークの加入者に情報を提供するための中心的役割を遂行する。ＯＤＮ１６は、ＯＬＴ１０に接続され、ツリートポロジー構造を有する。さらに、ＯＤＮ１６は、ＯＬＴ１０から伝送されるダウンストリーム（downstream）データフレームをＯＮＵ１２ａ，１２ｂ，１２ｃに分配し、ＯＮＵ１２ａ，１２ｂ，１２ｃから伝送されるアップストリーム（upstream）データフレームをマルチプレキシングしてＯＬＴ１０に伝送する。一方、ＯＮＵ１２ａ，１２ｂ，１２ｃは、ダウンストリームデータフレームを受信して終端使用者１４ａ，１４ｂ，１４ｃに提供し、終端使用者１４ａ，１４ｂ，１４ｃから出力されるデータをアップストリームデータフレームとしてＯＤＮ１６を通じてＯＬＴ１０に伝送する。この時、ＯＮＵ１２ａ，１２ｂ，１２ｃにそれぞれ連結された終端使用者１４ａ，１４ｂ，１４ｃは、ＮＴ（Network Terminal）を有するＰＯＮにおいて使用可能な多種の加入者ネットワーク終端装置を意味する。
【０００７】
一般的に、ＡＴＭ−ＰＯＮにおいては、５３バイトのサイズを有するＡＴＭセル（cell）を一定のサイズでパッケージしたデータフレーム形態でアップストリーム伝送／ダウンストリーム伝送する。図１のようなツリー構造のＰＯＮにおいて、ＯＬＴ１０は、ダウンストリームフレーム内にＯＮＵ１２ａ，１２ｂ，１２ｃのそれぞれに分配されるダウンストリームセルを適切に挿入する。さらに、アップストリーム伝送を遂行する場合、ＯＬＴ１０は、時分割多重（Time Division Multiplexing: ＴＤＭ）方式によってＯＮＵ１２ａ，１２ｂ，１２ｃから伝送されたデータをアクセスする。この時、ＯＬＴ１０が受動素子であるＯＤＮ１６によってＯＮＵ１２ａ，１２ｂ，１２ｃに接続されるので、ＯＬＴ１０は、レンジング（ranging）という仮想距離補正アルゴリズムを利用してＯＤＮ１６においてデータの相互衝突を防止する。さらに、ＯＬＴ１０からＯＮＵ１２ａ，１２ｂ，１２ｃにダウンストリームデータ伝送を遂行する場合、ＯＬＴ１０は、ＯＮＵ１２ａ，１２ｂ，１２ｃと暗号化のための暗号キー及び維持及び管理のためのＯＡＭ（Operations, Administration and Maintenance）メッセージを交換する。従って、アップ／ダウンストリームフレームにおいて一定間隔でメッセージを交換する専用ＡＴＭセルまたは一般ＡＴＭセル内にデータフィールドが提供される。
【０００８】
前述したように標準化が完了したＧ．９８３シリーズに基づく広帯域受動型光加入者ネットワーク（Broadband Passive Optical Network: 以下、ＢＰＯＮと称する）は、ＡＴＭに基づいて動作する。しかしながら、ＧＰＯＮは、ＡＴＭサービスを処理するセルに基づく伝送方式（ＡＴＭと言われる）だけでなく、ＴＤＭ及びイーサネット（登録商標）サービスのように可変長を有するパケットを処理するＧＥＭ（GPON Encapsulation Method）方式（ＧＥＭと言われる）も支援する。この時、ＡＴＭは、伝送データをセル単位でＧＴＣ（GPON Transmission Convergence: 以下、ＧＴＣと称する）フレームにマッピングして伝送し、ＧＥＭは、伝送データをフレーム単位でＧＴＣフレームにマッピングして伝送する。
【０００９】
図２は、通常のＧＰＯＮのプロトコルスタック構造を示す図である。図２を参照すると、ＧＰＯＮのプロトコルスタックは、上位階層とインターフェースするプロトコル階層１００、ＧＴＣ階層２００、及びＧＰＭ（ＧＰＯＮ Physical Media dependent）階層３００を含む。プロトコル階層１００は、ＡＴＭ（Asynchronous Transfer Mode）クライアント１１０、ＯＭＣＩ（ＯＮＴ Management Control Interface）１２０、ＧＥＭクライアント１３０、及びＰＬＯＡＭ（Physical Layer Operation Administration Maintenance）モジュール１４０を含む。
【００１０】
このような構成を有するＧＰＯＮプロトコルは、上位階層から伝送されたフレームをＧＴＣ階層２００においてＧＴＣフレームに多重化して伝送する。さらに、ＡＴＭクライアント１１０は、ＡＴＭの伝送方式を支援し、ＧＥＭクライアント１３０は、ＧＥＭの伝送方式を支援する。
【００１１】
ＡＴＭクライアント１１０は、ＡＴＭを利用して固定長のセル単位で伝送データをＧＴＣフレームにマッピングする。この時、ＧＴＣフレーム内にセル長さ（通常、５３バイト）より短い長さを有する空間が残る場合、伝送データを次のフレームにマッピングして伝送する。従って、ＡＴＭの場合、セルが分割されない。
【００１２】
しかしながら、ＧＥＭフレームは可変長を有するパケットであるので、ＧＥＭクライアント１３０は、ＧＥＭフレームをＧＴＣフレームにマッピングする時、帯域幅を効率的に使用するために、ＧＥＭフレームを分割して伝送する。
【００１３】
例えば、ＧＥＭクライアント１３０が上位階層から使用者データ（user data）を受信すると、ＧＥＭクライアント１３０は、ＧＴＣ階層２００から現在待機中のＧＴＣフレームの空間情報（例えば、長さ）を受信する。ＧＥＭクライアント１３０は、その空間情報によって、使用者データを複数のＧＥＭフレームに分割するか、それとも、使用者データを分割せずに１つのＧＥＭフレームとして形成する。その後、ＧＥＭクライアント１３０は、ＧＥＭフレームをＧＴＣ階層２００に伝送する。ＧＴＣ階層２００は、ＧＥＭフレームを現在待機中のＧＴＣフレームにマッピングして伝送する。
【００１４】
一方、受信側は、ＧＴＣ階層２００において前述したように分割されたＧＥＭフレームを再組立てした後、上位階層に伝達する。
【００１５】
従来技術においては、ＢＰＯＮのために提供されたＯＮＴ（Optical Network Terminal）管理制御プロトコルがある。ＢＰＯＮは、Ｇ．９８３．１シリーズにおいて定義されたようにＡＴＭ基盤で動作する。さらに、Ｇ．９８３．２シリーズは、ＢＰＯＮのＯＮＴ管理制御インターフェースを定義する。ＢＰＯＮのＯＮＴ管理制御インターフェースは、ＡＴＭ基盤でも動作する。さらに、Ｇ．９８３．２シリーズは、管理制御情報を伝達するＡＴＭセル基盤のフレーム構造を定義する。
【００１６】
図３は、従来のＴＤＭ及びイーサネット（登録商標）サービスを支援するＧＥＭフレームの構造図である。従来のＧＥＭフレームの構造は、ＴＤＭフレームまたはイーサネット（登録商標）フレームを支援するために定義される。
【００１７】
図３を参照すると、従来のＧＥＭフレームは、ＰＬＩ（L）（１６ビット）３１０、Ｐｏｒｔ ＩＤ（１２ビット）３２０、Ｆｒａｇ（２ビット）３３０、ＦＦＳ（２ビット）３４０、ＨＥＣ（１６ビット）３５０、及びＦｒａｇｍｅｎｔ Ｐａｙｌｏａｄ（Ｌバイト）３６０（GEM Payload）を含む。
【００１８】
ＰＬＩ（Payload Length Identifier）３１０、Ｐｏｒｔ ＩＤ３２０、Ｆｒａｇ３３０、ＦＦＳ３４０及びＨＥＣ３５０は、ＧＥＭヘッダに含まれる。
【００１９】
ＰＬＩ３１０は、ペイロードの長さを表示するフィールドであり、Ｐｏｒｔ ＩＤ３２０は、トラヒックマルチプレキシングを提供するためにトラヒックを区分するためのＩＤを表示するフィールドであり、Ｆｒａｇ３３０は、ペイロードの分割状態を表示するフィールドであり、ＨＥＣ３５０は、ヘッダエラー検出及びヘッダエラー修正のためのフィールドである。一方、ＦＦＳ３４０は、未定の保留フィールドである。
【００２０】
従来のＧＥＭフレームヘッダに含まれるＦｒａｇ３３０は、該Ｆｒａｇ３３０の２ビットを利用することによって、現在伝送されるＧＥＭペイロードが分割されたフレームであるか否かを表示する。例えば、分割されなかったＧＥＭフレームは、Ｆｒａｇ３３０を“１１”に設定する。ＧＥＭフレームが分割された場合、分割されたＧＥＭフレームの開始フレームはＦｒａｇ３３０を“１０”に設定し、分割されたＧＥＭフレームの中間フレームはＦｒａｇ３３０を“００”に設定し、分割されたＧＥＭフレームの最後のフレームは、Ｆｒａｇ３３０を“０１”に設定して、当該ＧＥＭフレームが分割されたフレームであるか否か、そして、当該ＧＥＭフレームが分割されたフレームのどの部分に対応するフレームであるかを示すことができる。
【００２１】
図４は、従来のＡＴＭ−ＯＡＭセルの構造を示す図である。
【００２２】
図４に示すように、従来のＡＴＭ−ＯＡＭセルは、５バイトのヘッダ（Header）４０１及び４８バイトのＯＡＭセル情報フィールドから構成される。また特に、ＯＡＭセル情報フィールドは、４ビットのＯＡＭタイプ（Type）フィールド４０２、４ビットの機能タイプ（function type）フィールド４０３、４５バイトの機能特定フィールド（Function Specific field）４０４、６ビットの保留（Reserved）フィールド４０５及び１０ビットのＣＲＣフィールド４０６から構成される。
【００２３】
５バイトのヘッダ４０１は、非割り当てセル（Unassigned Cell）を表示するためのＧＦＣ（Generic Flow Control）（空きのセルの場合は使用されない）、経路を表示するためのＶＰＩ（Virtual Path Identifier）／ＶＣＩ（Virtual Channel Identifier）、ペイロードの情報タイプの表示するためのペイロードタイプ（Payload Type: ＰＴ）、セルの優先度を表示するためのＣＬＰ（Cell Loss Priority Field）及びヘッダのエラーを制御するためのＨＥＣ（Header Error Control）を含む。
【００２４】
４ビットのＯＡＭタイプフィールド４０２及び４ビットの機能タイプフィールド４０３は、＜表１＞のようである。
【００２５】
【表１】
2004336773.tif 000003
【００２６】
４ビットのＯＡＭタイプは、失敗管理（fault management）、性能管理、ＡＰＳ（ATM Protection Switching）コーディネーションプロトコル（coordination protocol）、活性化／非活性化（Activation／Deactivation）、及びシステム管理などのＯＡＭタイプを表示する。ＯＡＭタイプによる機能タイプは、ＡＩＳ（Alarm Indication Signal）、ＲＤＩ（Remote Defect Indication）、ＣＣ（Continuity Check）、ＬＢ（Loop Back）を含む失敗管理、ＦＰＭ（Forward Performance Monitoring）及びＢＲ（backward Reporting）を含む性能管理、Group Protection及びIndividual Protectionを含むＡＰＳコーディネーションプロトコル、FPM and associated BR、ＣＣ、及びＦＰＭを含む活性化／非活性化（Activation／Deactivation）に分けられる。
【００２７】
以下、失敗管理による機能に関して説明する。ＡＩＳは、最初に問題発生を感知したスイッチから目的地端末に伝達される警報である。この警報を受信した端末は、ＲＤＩをセルの発信側端末に伝達して送信失敗を知らせる。つまり、ネットワークは、当該警報を通して２つの端末間の接続経路における失敗（Fault）を感知し、その経路の迂回または再接続を試みる。
【００２８】
さらに、ＣＣは、回線を開通する時、または、接続が正常であるか否かを感知する時に伝送される。この機能は、サービスが提供されている状態で遂行することができ、“Keep Alive”機能と呼ばれる。
【００２９】
ＬＢは、ＣＣと同一の機能を有するが、希望するループバック地点（Loop Back Point）を指定することができる。さらに、ＬＢは、セルが返還されるか否かを判断することによって問題区間を追跡することが容易である。
【００３０】
さらに、機能タイプフィールドにおける具体的な機能タイプの動作内容は、４５バイトを有する機能特定フィールド４０４に定義される。
【００３１】
前述したように、ＩＴＵ−ＴによってＧＰＯＮ標準化が進行中である。ＧＰＯＮは、標準化が完了したＧ．９８３シリーズに基づくＢＰＯＮがＡＴＭを基盤にして動作することとは異なり、ＡＴＭサービスを処理するセル基盤伝送方式だけでなくＧＥＭ方式を同時に支援する。ＧＥＭ方式は、ＴＤＭ及びイーサネット（登録商標）サービスのように可変長のパケットを支援する。
【００３２】
従って、ＧＰＯＮのＡＴＭモードの場合は、データがセル単位でＧＴＣフレームにマッピングして伝送され、ＧＰＯＮのＧＥＭモードの場合は、データがフレーム単位でＧＴＣフレームにマッピングして伝送される。従って、ＡＴＭモードの動作は、ＩＴＵ−Ｔ Ｉ．６１０ ＡＴＭまたはＩＴＵ−Ｔ Ｇ．９８３.１ ＡＴＭ ＰＯＮの動作を基盤にして標準化が進行中であり、ＧＥＭモードの場合は、ＧＰＯＮによって支援される細部標準化が進行中である。
【００３３】
ＡＴＭによって支援されるＯＡＭ機能の場合、ＩＴＵ−Ｔ Ｉ．６１０によって定義されたように、ループバックされる地点によって階層別にＦ１からＦ５までのＯＡＭフローが定義されている。特に、Ｆ４フロー及びＦ５フローによって予め決定されたＶＰＩまたはＶＣＩの値によりＯＡＭ機能の種類を表示するので、セルが具体的なＶＰＩまたはＶＣＩを有するようになり、他のセルと区別することが可能になる。さらに、ヘッダのＰＴ（Payload Type）によって対応するペイロードの状態が表示され得るので、より容易に他のセルと区別することができる。
【００３４】
ＧＰＯＮに対する標準であるＩＴＵ−Ｔ ＳＧ１５においてＧＥＭ ＯＡＭの動作手順は基本的にＡＴＭのＯＡＭに従うようにすることが現在の標準化の傾向である。従って、ＡＴＭモードの場合、ＡＴＭヘッダにおけるＶＰＩ、ＶＣＩ、ＰＴを利用してＯＡＭフレームの有無及びＯＡＭフレームの目的地を表現することができ、予め割り当てられた値がＶＰＩ、ＶＣＩ、ＰＴの値として使用される。
【００３５】
しかしながら、ＧＥＭモードの場合、ヘッダに１つの“ポート識別子（port_ID）”フィールドのみが存在するので、この“port_ID”フィールドを利用してＯＡＭフレームの有無（フレームの種類）及びＯＡＭフレームの目的地（ここでは、ポート）を表現しなければならないが、現在ＧＥＭモードにおけるＯＡＭフレームの場合は、詳細な動作及びフレーム構造が定義されていない。特に、ＧＥＭモードにおいてＯＡＭを支援するためのフレームフォーマットに対してはまだ提示されていない。
【発明の開示】
【発明が解決しようとする課題】
【００３６】
本発明は、以上のような問題を解決するために提案され、その目的は、ＧＰＯＮのＧＥＭモードのＯＡＭフレーム構造を定義して、ＧＥＭモードにおいてもＯＡＭを具現することのできるギガビット受動型光加入者ネットワークにおけるＧＥＭ ＯＡＭフレーム伝送方法を提供することにある。
【課題を解決するための手段】
【００３７】
このような目的を達成するため、本発明によれば、ギガビット受動型光加入者ネットワークのＧＥＭモードで、ＯＬＴからＯＮＵ／ＯＮＴにＯＡＭ情報を伝送するための方法において、ＧＥＭ ＯＡＭフレームがＯＡＭ情報を含むことを表示するＯＡＭ表示情報を含むＧＥＭヘッダフィールド及びＯＡＭ情報を含むＧＥＭペイロードフィールドを有するＧＥＭ ＯＡＭフレームを構成する段階と、ＯＮＵ／ＯＮＴがＯＡＭ情報による動作を遂行することを可能にするために前記構成されたＧＥＭ ＯＡＭフレームを伝送する段階と、を含むＧＥＭ ＯＡＭフレーム伝送によることを特徴とする。
【００３８】
このようなＧＥＭヘッダフィールドは、ＧＥＭフレームのトラヒックマルチプレキシングを提供するためにトラヒックを区分するためのポート識別子フィールドを含み、該ポート識別子フィールドが、ＧＥＭ ＯＡＭフレームがＯＡＭ情報を含むことを表示するＯＡＭ表示情報を貯蔵する所定のビットを含むものとすることができる。あるいは、ＧＥＭヘッダフィールドは、ＧＥＭフレームのトラヒックマルチプレキシングを提供するためにトラヒックを区分するためのポート識別子フィールドを含み、該ポート識別子フィールドによって指示されるポート値は、特定のＯＮＵ／ＯＮＴの目的地を知らせ、ＯＡＭ情報を含むフレームであることを表示するものとしてもよい。また、ＧＥＭヘッダフィールドは、当該フレームがＯＡＭ情報を含むことを表示するＯＡＭ表示情報をもつＯＡＭフレームフィールドをさらに含むものとすることもできる。またさらに、ＧＥＭヘッダフィールドは、該ＧＥＭヘッダフィールド内に保留されたフィールドを、当該フレームがＯＡＭ情報を含むことを表示するＯＡＭ表示情報をもつフィールドとして使用するようにしてもよい。さらに、これらの場合、ＧＥＭペイロードフィールドが、ＯＡＭ情報のタイプを表示するＯＡＭタイプフィールド、該ＯＡＭタイプによる機能を表示する機能タイプフィールド及び該機能タイプによる具体的な動作を表示するＯＡＭ機能特定フィールドを含むものとすることができる。
【００３９】
この他に本発明によれば、ギガビット受動型光加入者ネットワークのＧＥＭモードで、ＯＬＴからＯＮＵ／ＯＮＴにＯＡＭ情報を伝送するための方法において、ＧＥＭ ＯＡＭフレームがＯＡＭ情報を含むことを表示するＯＡＭ表示情報及びＯＡＭ情報を含むＧＥＭペイロードフィールドとＧＥＭヘッダフィールドとを有するＧＥＭ ＯＡＭフレームを構成する段階と、ＯＮＵ／ＯＮＴがＯＡＭ情報による動作を遂行することを可能にするために前記構成されたＧＥＭ ＯＡＭフレームを伝送する段階と、を含むＧＥＭ ＯＡＭフレーム伝送によることを特徴とする。
【００４０】
また、ギガビット受動型光加入者ネットワークのＧＥＭモードで、ＯＮＵ／ＯＮＴからＯＬＴにＯＡＭ情報を伝送するための方法において、ＧＥＭ ＯＡＭフレームがＯＡＭ情報を含むことを表示するＯＡＭ表示情報を含むＧＥＭヘッダフィールド及びＯＡＭ情報を含むＧＥＭペイロードフィールドを有するＧＥＭ ＯＡＭフレームを構成する段階と、ＯＬＴがＯＡＭ情報による動作を遂行することを可能にするために前記構成されたＧＥＭ ＯＡＭフレームを伝送する段階と、を含むＧＥＭ ＯＡＭフレーム伝送によることを特徴とする。あるいは、ギガビット受動型光加入者ネットワークのＧＥＭモードで、ＯＮＵ／ＯＮＴからＯＬＴにＯＡＭ情報を伝送するための方法において、ＧＥＭ ＯＡＭフレームがＯＡＭ情報を含むことを表示するＯＡＭ表示情報及びＯＡＭ情報を含むＧＥＭペイロードフィールドとＧＥＭヘッダフィールドとを有するＧＥＭ ＯＡＭフレームを構成する段階と、ＯＬＴがＯＡＭ情報による動作を遂行することを可能にするために前記構成されたＧＥＭ ＯＡＭフレームを伝送する段階と、を含むＧＥＭ ＯＡＭフレーム伝送によることを特徴とする。
【発明の効果】
【００４１】
本発明は、ＧＰＯＮにおけるＧＥＭ ＯＡＭフレームを定義することによって、ＧＥＭモードにおいてＯＡＭ機能を遂行することができるという効果がある。
【発明を実施するための最良の形態】
【００４２】
以下、本発明の好適な実施形態について添付図を参照しつつ詳細に説明する。下記の説明において、本発明の要旨のみを明確にする目的で、関連した公知機能又は構成に関する具体的な説明は省略する。
【００４３】
図５は、本発明の第１実施例によるＧＰＯＮにおけるＧＥＭモードのＯＡＭフレームの構造を定義する図である。
【００４４】
図５に示すように、本発明の技術によるＧＰＯＮにおけるＧＥＭ ＯＡＭ動作を遂行するために、ＩＴＵ−Ｔ Ｇ．９８４．３ドラフト（draft）に提示されたＧＥＭヘッダ（header）をフレームヘッダとして使用し、ＩＴＵ−Ｔ Ｉ．６１０に提示されたＡＴＭ ＯＡＭフレームペイロードをペイロード部分として使用する。つまり、ＯＡＭペイロード部分は、ＯＡＭタイプフィールド５０２、機能タイプフィールド５０３、ＯＡＭ機能特定フィールド５０４及びＣＲＣフィールド５０５を含む。
【００４５】
ここで、ＧＥＭフレームが、特定のＯＮＴに伝送されるＧＥＭモードのＯＡＭフレームであることを示すために、図５において、図３に示すＧＥＭフレームにおけるヘッダ部５０１の“Port_ID”（ポート識別子）フィールド５０６を利用する。
【００４６】
その利用方法は、２つあり、第１は、１２ビットの“Port_ID”フィールド５０６の一部をＯＡＭペイロードを表示するのに使用することである。第２は、ＯＮＵ／ＯＮＴの“Port_ID”をそれぞれ新しく定義し、ＯＮＵ／ＯＮＴに対する“Port_ID”をＡ及びＢとして割り当てる。従って、“Port_ID”フィールドがＡを指定すると、対応するペイロードが通常のＧＥＭフレームであり、“Port_ID”フィールドがＢを指定すると、対応するペイロードがＯＡＭフレームである。つまり、ＯＮＵ／ＯＮＴの“Port_ID”にＯＡＭのためのPort_IDを新しく追加することである。
【００４７】
この場合、“Port_ID”のみでＧＥＭフレームが特定のＯＮＵ／ＯＮＴに伝送されるＧＥＭモードのＯＡＭフレームであることを示す。つまり、各ＯＮＴに異なる値が割り当てられる。このために、ネットワークの初期化時点でＯＬＴとＯＮＴとの間のシグナリングを通じて各ＯＮＴのＯＡＭフレームを示すことのできる“Port_ID”を割り当てる過程が追加される。しかしながら、ＯＮＵ／ＯＮＴに“Port_ID”割り当てる過程は、予め標準によって定義されている。従って、本実施例において、上述したように、既存の標準に定義された方法と異なる方法を利用して“Port_ID”を割り当てることが必要である。
【００４８】
図６は、本発明の第２実施例によるＧＰＯＮにおけるＧＥＭモードのＯＡＭフレームの構造を定義する図である。
【００４９】
図６に示すように、本発明の技術によるＧＰＯＮにおけるＧＥＭ ＯＡＭ動作を遂行するために、ＩＴＵ−Ｔ Ｇ．９８４．３ドラフト（draft）に提示されたＧＥＭヘッダをフレームヘッダとして使用し、ＩＴＵ−Ｔ Ｉ．６１０において提示されたＡＴＭ ＯＡＭフレームペイロードをペイロード部分として使用する。つまり、ＯＡＭペイロード部分は、ＯＡＭタイプフィールド５０２、機能タイプフィールド５０３、ＯＡＭ機能特定フィールド５０４及びＣＲＣフィールド５０５を含む。
【００５０】
ここで、ＧＥＭフレームが、特定のＯＮＴに伝送されるＧＥＭモードのＯＡＭフレームであることを示すために、ＧＥＭヘッダ５０１に新しいフィールドを追加する。つまり、ＯＡＭフレームフィールド６０１を追加する。すなわち、ＯＡＭフレームの場合、ＯＡＭフレームフィールド６０１の値を活性化してＯＡＭフレームがＧＥＭ ＯＡＭフレームであることを表示し、一般のフレームである場合、非活性化する。
【００５１】
図７は、本発明の第３実施例によるＧＰＯＮにおけるＧＥＭモードのＯＡＭフレームの構造を定義する図である。
【００５２】
図７に示すように、本発明の技術によるＧＰＯＮにおけるＧＥＭ ＯＡＭ動作を遂行するために、ＩＴＵ−Ｔ Ｇ．９８４．３ドラフト（draft）に提示されたＧＥＭヘッダをフレームヘッダとして使用し、ＩＴＵ−Ｔ Ｉ．６１０に提示されたＡＴＭ ＯＡＭフレームペイロードをペイロード部分として使用する。つまり、ＯＡＭペイロード部分は、ＯＡＭタイプフィールド５０２、機能タイプフィールド５０３、ＯＡＭ機能特定フィールド５０４及びＣＲＣフィールド５０５を含む。
【００５３】
ここで、ＧＥＭフレームが特定のＯＮＴに伝送されるＧＥＭモードのＯＡＭフレームであることを示すために、ＧＥＭヘッダ５０１において保留されたフィールドを新しく利用する。つまり、ＯＡＭフレームフィールド６０１を追加するのではなく、現在定義されたフィールドにおいて使用されずに保留中であるフィールドをＯＡＭフレームフィールドとして使用する。本実施例においては、ＦＦＳフィールド７０１をＯＡＭフレームフィールドとして使用する。
【００５４】
図８は、本発明の第４実施例によるＧＰＯＮにおけるＧＥＭモードのＯＡＭフレームの構造を定義する図である。
【００５５】
図８に示すように、本発明の技術によるＧＰＯＮにおけるＧＥＭ ＯＡＭ動作を遂行するために、ＩＴＵ−Ｔ Ｇ．９８４．３ドラフト（draft）に提示されたＧＥＭヘッダをフレームヘッダとして使用し、ＩＴＵ−Ｔ Ｉ．６１０に提示されたＡＴＭ ＯＡＭフレームペイロードをペイロード部分として使用する。つまり、ＯＡＭペイロード部分は、ＯＡＭタイプフィールド５０２、機能タイプフィールド５０３、ＯＡＭ機能特定フィールド５０４及びＣＲＣフィールド５０５を含む。
【００５６】
ここで、特定のＯＮＴに伝送されるＧＥＭ ＯＡＭフレームであることを示すために、本実施例においてはＯＡＭペイロード部分にＯＡＭフレームフィールド８０１を新しく定義する。つまり、ヘッダにおいて対応するフレームタイプを定義せず、フレームのペイロード部分において定義して伝送する。
【００５７】
以上、本発明を具体的な実施形態を参照して詳細に説明してきたが、本発明の範囲は上述の実施形態によって限られるべきではなく、本発明の範囲内で様々な変形が可能であるということは、当該技術分野における通常の知識を持つ者には明らかである。
【図面の簡単な説明】
【００５８】
【図１】通常のＰＯＮの構成図。
【図２】通常のＧＰＯＮのプロトコルスタック構造を示す図。
【図３】従来のＴＤＭ及びイーサネット（登録商標）サービスを支援するＧＥＭモードのフレームの構造図。
【図４】従来のＡＴＭ−ＯＡＭセルの構造を示す図。
【図５】本発明の第１実施例によるＧＰＯＮにおけるＧＥＭモードのＯＡＭフレーム構造を定義する図。
【図６】本発明の第２実施例によるＧＰＯＮにおけるＧＥＭモードのＯＡＭフレームの構造を定義する図。
【図７】本発明の第３実施例によるＧＰＯＮにおけるＧＥＭモードのＯＡＭフレームの構造を定義する図。
【図８】本発明の第４実施例によるＧＰＯＮにおけるＧＥＭモードのＯＡＭフレームの構造を定義する図。
【図１】
2004336773.tif 000004
【図２】
2004336773.tif 000005
【図３】
2004336773.tif 000006
【図４】
2004336773.tif 000007
【図５】
2004336773.tif 000008
【図６】
2004336773.tif 000009
【図７】
2004336773.tif 000010
【図８】
2004336773.tif 000011